(57)【要約】【課題】装着感に優れる工具差しの提供。【解決手段】この工具差し２は、作業ベルトＢに装着される本体プレート４と、工具が掛けられて吊される掛吊部６と、この掛吊部６を上記本体プレート４に対して揺動可能に連結する連結部１４とを備えており、この連結部１４が、上記掛吊部６を、上記本体プレート４に対して、本体プレート４の面に交差する面内に揺動しうるように連結している。好ましくは、上記連結部１４が、上記本体プレート４及び上記掛吊部６のいずれか一方に設けられた軸受け部１８と、他方に設けられた軸部１６とを備えており、この軸部１６が、その中心軸周りに回転可能に上記軸受け部１８に挿通されており、この軸部１６の中心軸が、本体プレート４の面に沿って延びている。【選択図】図１
0003208444.tif 000002
【実用新案登録請求の範囲】
【請求項１】
作業ベルトに装着される本体プレートと、
工具が掛けられて吊される掛吊部と、
この掛吊部を上記本体プレートに対して揺動可能に連結する連結部とを備えており、
この連結部が、上記掛吊部を、上記本体プレートに対して、本体プレートの面に交差する面内に揺動しうるように連結している工具差し。
【請求項２】
上記本体プレートに、作業ベルトが挿通されうるスリットが形成されており、
上記掛吊部の揺動しうる方向が、上記スリットと平行な面内である請求項１に記載の工具差し。
【請求項３】
上記連結部が、上記掛吊部の、上記本体プレートの面内方向のスライドを防止する構造を有している請求項１又は２に記載の工具差し。
【請求項４】
上記連結部が、上記本体プレート及び上記掛吊部のいずれか一方に設けられた軸受け部と、他方に設けられた軸部とを備えており、
この軸部が、その中心軸周りに回転可能に上記軸受け部に挿通されており、
この軸部の中心軸が、本体プレートの面に沿って延びている請求項１から３のいずれかに記載の工具差し。
【請求項５】
上記軸部に突起が形成されており、
この軸部が、軸受け部に対して中心軸方向にスライドを開始したとき、上記突起が、軸受け部に当接して、上記軸部の上記スライドが阻止されるように構成されている請求項４に記載の工具差し。
【請求項６】
上記掛吊部が、棒状部材から形成されており、
上記軸部が、この掛吊部の一部から構成されており、
この軸部の一端側に、上記棒状部材の一部からリング部が形成されており、
この軸部の他端側に、上記棒状部材の一部から上方が開放されたＵ字状部が形成されており、
このリング部及びＵ字状部に、掛け吊される工具としてのハンマーのヘッドが掛けられるように構成されている請求項４又は５に記載の工具差し。
【考案の詳細な説明】
【技術分野】
【０００１】
本考案は、工具差しに関する。詳細には、建設現場、工事現場、高所作業現場等における作業者が、工具を携帯するために、作業ベルトに取り付ける工具差し（「ツールフック」とも称されている）に関する。
【背景技術】
【０００２】
建築現場の作業者は、作業の都合上、ハンマー、バール、レンチ等の工具を常に携帯する必要がある。この携帯のために、工具差しが用いられる。この工具差しは、作業者の腰に巻かれた作業ベルトに取り付けられる。作業者は、この工具差しを用いて、工具を腰からぶら下げる。
【０００３】
このような工具差しの一例が、実用新案登録第３１１０９５５号公報に記載されている。この工具差しは、作業ベルトに装着されるための装着部としての本体プレートと、工具が吊り下げられる掛吊部とを備えている。本体プレートには、作業ベルトを挿通するための複数のスリットが形成されている。掛吊部は、工具類が容易に吊り下げられるように、ループ状等に形成されている。
【０００４】
この工具差しのように、上記本体プレートと掛吊部とが一体化されているものや固定的に連結されているものが一般的な工具差しである。作業者がしゃがんだり座ったりしたときには、工具の柄の下端が地面、床面等に当接し、工具が押し返される。その結果、工具が掛吊部から上方へ抜け落ちるおそれがある。一方、上記公報に示された工具差しとは異なり、近頃の工具差しの掛吊部は、安全のために、吊り下げられた工具が容易には落下しない構造にされたものが多い。このような工具差しの場合、工具の柄の下端が地面、床面等に当接したとき、作業者は、工具から突き上げ力等の外力を受け、不快感を覚える。
【先行技術文献】
【特許文献】
【０００５】
【特許文献１】実用新案登録第３１１０９５５号公報
【考案の概要】
【考案が解決しようとする課題】
【０００６】
本考案は、かかる現状に鑑みてなされたものであり、工具の取り付け取り出しの操作感を損なうことなく、装着感に優れる工具差しの提供にある。
【課題を解決するための手段】
【０００７】
本考案に係る工具差しは、
作業ベルトに装着される本体プレートと、
工具が掛けられて吊される掛吊部と、
この掛吊部を上記本体プレートに対して揺動可能に連結する連結部とを備えており、
この連結部が、上記掛吊部を、上記本体プレートに対して、本体プレートの面に交差する面内に揺動しうるように連結している。
【０００８】
好ましくは、上記本体プレートに、作業ベルトが挿通されうるスリットが形成されており、上記掛吊部の揺動しうる方向が、上記スリットと平行な面内である。
【０００９】
好ましくは、上記連結部が、上記掛吊部の、上記本体プレートの面内方向のスライドを防止する構造を有している。
【００１０】
好ましくは、上記連結部が、上記本体プレート及び上記掛吊部のいずれか一方に設けられた軸受け部と、他方に設けられた軸部とを備えており、
この軸部が、その中心軸周りに回転可能に上記軸受け部に挿通されており、
この軸部の中心軸が、本体プレートの面に沿って延びている。
【００１１】
好ましくは、上記軸部に突起が形成されており、
この軸部が、軸受け部に対して中心軸方向にスライドを開始したとき、上記突起が、軸受け部に当接して、上記軸部の上記スライドが阻止されるように構成されている。
【００１２】
好ましくは、上記掛吊部が、棒状部材から形成されており、
上記軸部が、この掛吊部の一部から構成されており、
この軸部の一端側に、上記棒状部材の一部からリング部が形成されており、
この軸部の他端側に、上記棒状部材の一部から上方が開放されたＵ字状部が形成されており、
このリング部及びＵ字状部に、掛け吊される工具としてのハンマーのヘッドが掛けられるように構成されている。
【考案の効果】
【００１３】
本考案に係る工具差しによれば、工具の取り付け取り出しの操作感が損なわれることなく、装着感に優れている。
【図面の簡単な説明】
【００１４】
【図１】図１は、本考案の一実施形態に係る工具差しを示す斜視図である。
【図２】図２は、図１の工具差しの正面図である。
【図３】図３は、図１の工具差しの左側面図である。
【図４】図４は、図１の工具差しの右側面図である。
【図５】図５は、図２におけるＶ−Ｖ線に沿って見た一部断面図である。
【考案を実施するための形態】
【００１５】
以下、適宜図面が参照されつつ、実施形態に基づいて本考案が詳細に説明される。
【００１６】
図１には、本考案の一実施形態に係る工具差し２が示されている。この実施形態としては、ハンマーを吊り下げるのに適した構造を有する工具差し２が例示されている。この工具差し２は、本体プレート４と掛吊部６とを備えている。本体プレート４は、作業ベルトＢに装着される部分である。掛吊部６は、主にハンマーＨが掛けられて吊される部分である。
【００１７】
図２からも明らかなように、本体プレート４は、縦長の略矩形の板状を呈している。この本体プレート４には、縦方向に延びる二本のスリット８が形成されている。この二本のスリット８は、互いに平行に延びている。このスリット８には、図示のように、作業者のベルトＢが挿通される。これにより、工具差し２がベルトＢに装着される。なお、上記スリット８は二本には限定されず、三本以上であってもよい。
【００１８】
図１から図４に示されるように、掛吊部６は棒状部材から形成されている。具体的には、掛吊部６は、金属棒を屈曲及び湾曲することにより形成されている。この金属棒は、コ字状（門型）に屈曲されている。門型の一方の脚部は、前方に向けてループ状に湾曲され、他方の脚部は前方に向けてＵ字状に湾曲されている。ループ状の部分をリング部１０と呼び、Ｕ字状部分をＵ字状部１２と呼ぶ。リング部１０は、ほぼ円形を呈しており、Ｕ字状部１２は、上方が開口したほぼＵ字状を呈している。リング部１０は、金属棒の先端が溶接等によって中間部分に固定されることにより、強固に形成されている。ここで言う上下は、工具差し２が作業者の腰のベルトＢに装着されたときの上下方向である。リング部１０の成す面と、Ｕ字状部１２の成す面とは、間隔を置いてほぼ平行にされている。掛吊部６におけるリング部１０とＵ字状部１２との間に延在する部分は、後述する連結部１４の一部を構成する軸部１６を構成している。軸部１６の中心軸方向は、リング部１０の成す面及びＵ字状部１２の成す面それぞれにほぼ直交している。
【００１９】
図１に示されるように、リング部１０及びＵ字状部１２の一方には、ハンマーＨのヘッドの一端側が挿通され、他方には、ハンマーＨのヘッドの他端側が挿通される。ハンマーＨの柄は、下方に垂れ下がる。ハンマーＨは、この状態では容易には掛吊部６から離脱、落下することはない。ハンマーＨを取り外す場合、柄を上方に向けてヘッドの軸回りに約１８０°回転させた上で、ヘッドをＵ字状部１２側にスライドさせる。柄は、Ｕ字状部１２の上部開口部分を通過して移動できる。こうすれば、ハンマーＨを掛吊部６から容易に抜き取ることができる。ハンマーＨを工具差し２に装着する際には、上記取り外し時と逆の操作をすればよい。この工具差し２は、操作性に優れている。
【００２０】
上記本体プレート４と掛吊部６とは、連結部１４により、互いに揺動可能に連結されている。工具差し２が作業者のベルトＢに装着されたとき、本体プレート４が上方に位置し、掛吊部６が下方に位置し、連結部１４はこれらの間に位置する。連結部１４は、前述した掛吊部６の一部である軸部１６と、本体プレート４に枢支された軸受け部１８とを有している。軸部１６は、軸受け部１８に挿通されている。
【００２１】
図３から図５に示されるように、軸受け部１８は、軸部１６が挿通される挿通路２０と、本体プレート４に連結される挟持部２２とを有している。本実施形態では、軸受け部１８は、金属板から形成されている。上記挿通路２０は、軸受け部１８が円筒状に湾曲されることによって形成されている。軸部１６は、この挿通路２０に、自己の中心軸周りに回転可能な状態で挿通されている。挟持部２２は、軸受け部１８の両端部から構成されている。これら両端部が、本体プレート４の表裏両側に対向配置されて、本体プレート４をその両面から挟持する。本体プレート４及び挟持部２２には、同一位置にピン孔が形成されている。この状態で、本体プレート４と挟持部２２とは、装着用のピン２４により、互いに揺動可能に枢支されている。かかる構成は、図２において２点鎖線で示されている。換言すれば、この工具差し２が作業者のベルトＢに装着されている場合、掛吊部６は、作業者の身体の外面に沿って、通常は前後方向に揺動可能となる。ピン２４に代えてボルト及びナットが用いられてもよい。
【００２２】
上記挿通路２０は、本体プレート４の下端縁にほぼ平行に延びている。従って、挿通路２０は、本体プレート４が成す面にほぼ平行に延びている。従って、軸部１６も本体プレート４の下端縁にほぼ平行に延びることになる。かかる連結部１４の構成により、掛吊部６は、本体プレート４に対して、本体プレート４の成す面に交差し且つ上下に延びる面内に揺動可能となる。この点は、図３及び図４において２点鎖線で示されている。換言すれば、掛吊部６は、本体プレート４の成す面に交差し且つスリット８に平行な面内に揺動可能となる。この工具差し２が作業者のベルトＢに装着されている場合、掛吊部６は、連結部１４を支点として、作業者の身体から離間接近する方向であり且つ上下方向に揺動可能となる。
【００２３】
以上のとおり、掛吊部６は、吊り下げられた工具（ハンマー）と一体で、作業者の身体から離間接近する方向（図３及び図４における左右方向）に揺動可能となる。掛吊部６は、さらに、作業者の身体の外面に沿って前後方向（図２における左右方向）にも揺動可能となる。作業者がしゃがんだり座ったりしたとき、工具の柄の下端が地面、床面等に当接し、工具が押し返される。しかし、前述した工具差しの場合、工具が床面等から押し返されても、揺動しうるので、突き上げ力等の不快感を覚えることが殆ど無い。この工具差し２は、装着感に優れている。
【００２４】
図３及び図４に示されるように、本実施形態に係る工具差し２では、本体プレート４の直下に、本体プレート４に接近して軸部１６が位置している。従って、掛吊部６の本体プレート４の面内に揺動しうる範囲（揺動角）は小さい。しかし、前述のとおり、掛吊部６は、本体プレート４の成す面に交差する面内に大きな角度で揺動可能となっている（図３及び図４参照）。従って、装着感に問題はない。また、連結部１４の軸受け部１８を屈曲変形等することにより、挿通路２０の位置を本体プレート４の直下から変位させれば、大きな揺動角が容易に得られる。例えば、挟持部２２の下端部を９０°外方へ屈曲させて、挿通路２０を外方へ移動させる。
【００２５】
この実施形態では、本体プレート４と掛吊部６とが軸部１６の長手方向に相対移動することを阻止する機構が設けられている。具体的には、軸部１６が、挿通路２０内を、その長手方向にスライドすることが阻止されている。
【００２６】
図２及び図５に、このスライド阻止機構が示されている。挿通路２０の長手方向の中間部に、その周方向に延びる窓部２６が形成されている。軸部１６の外面における上記窓部２６に対向する位置に、突起２８が形成されている。この突起２８は、例えば、軸部１６の一部を挟圧して変形させることによって形成される。この突起２８は、上記窓部２６を通って外方に突出している。窓部２６の幅は、突起２８の幅よりわずかに広い。軸部１６が、挿通路２０内を中心軸方向にスライドしようとしたとき、上記突起２８が窓部２６の縁に当接することにより、軸部１６の上記スライドが阻止される。図５に示されるように、これら窓部２６及び突起２８は、軸部１６が挿通路２０内を軸回りに回転する際の抵抗とはならない。掛吊部６は抵抗なく揺動しうる。
【００２７】
スライド阻止機構は上記窓部２６と突起２８との組み合わせには限定されない。例えば、上記窓部２６及び単一の突起２８を設けず、軸部１６における、軸受け部１８の長手方向両端に近接した外側に対応する位置それぞれに突起を形成してもよい。また、突起に代えて、軸部１６の同位置にリングを外嵌して固着してもよい。かかる構成によっても、上記窓部２６と突起２８との組み合わせと同様のスライド阻止作用を奏しうる。
【００２８】
また、窓部２６及び突起は設けず、例えば、挿通路２０の軸方向長さを長くすることにより、挿通路２０の軸方向両端をリング部１０及びＵ字状部１２に接近させてもよい。かかる構成によれば、挿通路２０の両端がリング部１０又はＵ字状部１２に当接することにより、スライド阻止作用が奏されうる。
【００２９】
また、図２に示される軸部１６を屈曲し、上方に突出するさらに小さな門型を形成してもよい。この小さい門型の上辺を新たな軸部として用いることができる。この新たな小さい軸部の長さは、上記挿通路の長さより僅かに長くすればよい。かかる構成によっても、スライド阻止作用が奏されうる。
【００３０】
以上説明した実施形態では、軸部１６が掛吊部６に設けられ、軸受け部１８が本体プレート４に取り付けられている。しかし、かかる構成には限定されない。軸部１６と軸受け部１８との配置を逆にしてもよい。本体プレート４の下端に、図２に示された軸部１６と同じ方向に延びる軸部を設けるとともに、掛吊部６の上端（現軸部１６）に、上記軸受け部１８を上下逆さにして取り付けてもよい。そして、この軸受け部１８の上端に位置する挿通路に、本体プレート４の下端に設けられた軸部を挿通する。
【００３１】
以上説明した実施形態では、その掛吊部６がハンマーに適した形状構造を有している。しかし、吊り下げ対象物はハンマーには限定されない。掛吊部６における工具を掛ける部分の形状を種々変更することにより、様々な工具を掛け吊すことが可能である。
【産業上の利用可能性】
【００３２】
本考案の工具差しは、作業で用いられる工具に限らず、日用品の携行にも用いられうる。
【符号の説明】
【００３３】
２・・・工具差し
４・・・本体プレート
６・・・掛吊部
８・・・スリット
１０・・・リング部
１２・・・Ｕ字状部
１４・・・連結部
１６・・・軸部
１８・・・軸受け部
２０・・・挿通路
２２・・・挟持路
２４・・・ピン
２６・・・窓部
２８・・・突起
Ｂ・・・ベルト
Ｈ・・・ハンマー
【図１】
0003208444.tif 000003
【図２】
0003208444.tif 000004
【図３】
0003208444.tif 000005
【図４】
0003208444.tif 000006
【図５】
0003208444.tif 000007